(57)【要約】【課題】製品寿命の長い記録装置を提供すること。【解決手段】媒体搬送装置２は、媒体Ｐを搬送方向Ａに搬送する搬送部としての搬送ローラー５，６と、媒体Ｐを支持する支持部２２と、支持部２２に設けられ、搬送方向Ａと交差する媒体Ｐの幅方向Ｂにおける端部Ｐｅと接触するエッジガイド１０と、を備え、エッジガイド１０は、媒体Ｐから分離された異物を回収する回収部４２、異物を回収部４２へ案内するための入口部４１、及び回収部４２内の異物を外部へ案内するための出口部４３、を有する異物回収部としての第２異物回収部４０を備える。【選択図】図７
2018202775.tif 000002
【特許請求の範囲】
【請求項１】
媒体を搬送方向に搬送する搬送部と、
前記媒体を支持する支持部と、
前記支持部に設けられ、前記搬送方向と交差する前記媒体の幅方向における端部と接触するエッジガイドと、を備え、
前記エッジガイドは、前記媒体から分離された異物を回収する回収部、前記異物を前記回収部へ案内するための入口部、及び前記回収部内の前記異物を外部へ案内するための出口部、を有する異物回収部を備えることを特徴とする媒体搬送装置。
【請求項２】
前記エッジガイドは、前記媒体を押圧する押圧部を備えることを特徴とする請求項１に記載の媒体搬送装置。
【請求項３】
前記回収部は、前記入口部と前記出口部との間に設けられることを特徴とする請求項１又は請求項２に記載の媒体搬送装置。
【請求項４】
前記異物回収部は、前記回収部の内部を撹拌する撹拌部を有することを特徴とする請求項１から請求項３のいずれか一項に記載の媒体搬送装置。
【請求項５】
前記撹拌部は、所定の点で固定された状態で回動することを特徴とする請求項４に記載の媒体搬送装置。
【請求項６】
前記撹拌部は、所定の範囲をスライドすることを特徴とする請求項４に記載の媒体搬送装置。
【請求項７】
前記エッジガイドは、前記支持部に対する前記エッジガイドの位置を変更するための持ち手部をさらに備え、
前記撹拌部は、前記支持部に対する前記エッジガイドの位置の変更と連動することを特徴とする請求項４から請求項６のいずれか一項に記載の媒体搬送装置。
【請求項８】
前記異物回収部は、前記回収部の内側を視認可能な透明部を有することを特徴とする請求項１から請求項７のいずれか一項に記載の媒体搬送装置。
【請求項９】
前記撹拌部は、前記透明部をワイプするワイパー部をさらに有することを特徴とする請求項８に記載の媒体搬送装置。
【請求項１０】
請求項１から請求項９のいずれかに記載の媒体搬送装置を備えることを特徴とする記録装置。
【発明の詳細な説明】
【技術分野】
【０００１】
本発明は、媒体搬送装置及び記録装置に関する。
【背景技術】
【０００２】
媒体に文字や画像などを記録する記録装置には、媒体を搬送させる媒体搬送装置が備えられている。印刷に使用する媒体の端部には、媒体を定型のサイズに裁断する際に生じた紙粉や毛羽などの異物が付着しており、この異物を除去する機能を備えた媒体搬送装置や記録装置が知られていた。例えば、特許文献１には、搬送される媒体に接触することで媒体に付着した付着物を除去する除去部と、除去した付着物を受容する受容部とを備えた液体噴射装置（記録装置）が開示されている。
【先行技術文献】
【特許文献】
【０００３】
【特許文献１】特開２０１４−７３５９９号公報
【発明の概要】
【発明が解決しようとする課題】
【０００４】
近年、媒体搬送装置を備える記録装置などでは、製品寿命を長くすることが望まれている。製品寿命を長くするには、異物を回収する回収部（受容部）に蓄積された異物を装置の外部に排出するメンテナンスを容易に行える構成にする必要がある。しかしながら、特許文献１に記載の記録装置は、回収部から異物を容易に排出する構成を成していないので、回収部が異物で満杯になった場合又は異物が回収部で詰まった場合に、媒体に付着した異物を回収する能力が低下し、製品寿命が短くなる恐れがあった。
【課題を解決するための手段】
【０００５】
本発明は、上述の課題の少なくとも一部を解決するためになされたものであり、以下の形態又は適用例として実現することが可能である。
【０００６】
［適用例１］本適用例に係る媒体搬送装置は、媒体を搬送方向に搬送する搬送部と、前記媒体を支持する支持部と、前記支持部に設けられ、前記搬送方向と交差する前記媒体の幅方向における端部と接触するエッジガイドと、を備え、前記エッジガイドは、前記媒体から分離された異物を回収する回収部、前記異物を前記回収部へ案内するための入口部、及び前記回収部内の前記異物を外部へ案内するための出口部、を有する異物回収部を備えることを特徴とする。
【０００７】
本適用例によれば、媒体搬送装置は、媒体から分離された異物を回収する回収部内から異物を外部に案内するための出口部を有する異物回収部を備えている。これにより、ユーザーは、回収部に蓄積された異物を出口部から装置の外部に排出するメンテナンスを容易に行うことができるので、媒体搬送装置の媒体に付着した異物を回収する能力を維持させることができる。したがって、製品寿命の長い媒体搬送装置を提供することができる。
【０００８】
［適用例２］上記適用例に記載の媒体搬送装置において、前記エッジガイドは、前記媒体を押圧する押圧部を備えることが好ましい。
【０００９】
本適用例によれば、媒体搬送装置のエッジガイドには、媒体を押圧する押圧部が備えられている。搬送方向に搬送される媒体に対して押圧部を押圧することによって、媒体に付着していた紙粉や毛羽などの異物を媒体から容易に分離させることができる。
【００１０】
［適用例３］上記適用例に記載の媒体搬送装置において、前記回収部は、前記入口部と前記出口部との間に設けられることが好ましい。
【００１１】
本適用例によれば、媒体の異物を回収する回収部は、入口部と出口部との間に設けられている。入口部から回収部に入った異物は、後から回収部に入った異物によって順次入口部と反対側に移動しながら回収部に蓄積される。異物を排出する出口部は、回収部を介して入口部と反対側に設けられているので、回収部に蓄積された異物を出口部から容易に排出することができる。
【００１２】
［適用例４］上記適用例に記載の媒体搬送装置において、前記異物回収部は、前記回収部の内部を撹拌する撹拌部を有することが好ましい。
【００１３】
本適用例によれば、異物回収部は、回収部の内部を撹拌する撹拌部を備えている。この撹拌部によって、回収部の入口部近くに蓄積された異物を出口部へ向かって移動させることが可能になるで、回収部に蓄積された異物を出口部から効率良く排出することができる。
【００１４】
［適用例５］上記適用例に記載の媒体搬送装置において、前記撹拌部は、所定の点で固定された状態で回動することが好ましい。
【００１５】
本適用例によれば、撹拌部は、所定の点で固定された状態で回動するので、この撹拌部によって、回収部に蓄積された異物を出口部へ向かって容易に移動させることができる。
【００１６】
［適用例６］上記適用例に記載の媒体搬送装置において、前記撹拌部は、所定の範囲をスライドすることが好ましい。
【００１７】
本適用例によれば、撹拌部は、所定の範囲をスライドするので、この撹拌部によって、回収部の入口部近くに蓄積された異物を出口部へ向かって容易に移動させることができる。
【００１８】
［適用例７］上記適用例に記載の媒体搬送装置において、前記エッジガイドは、前記支持部に対する前記エッジガイドの位置を変更するための持ち手部をさらに備え、前記撹拌部は、前記支持部に対する前記エッジガイドの位置の変更と連動することが好ましい。
【００１９】
本適用例によれば、撹拌部は、支持部に対するエッジガイドの位置の変更と連動して動作するので、異なる幅の媒体を使用する際に、回収部の入口部近くに蓄積された異物を出口部へ向かって移動させることができる。
【００２０】
［適用例８］上記適用例に記載の媒体搬送装置において、前記異物回収部は、前記回収部の内側を視認可能な透明部を有することが好ましい。
【００２１】
本適用例によれば、異物回収部は、回収部の内側を視認可能な透明部を有しているので、ユーザーは、回収部に蓄積された異物を視認することができる。
【００２２】
［適用例９］上記適用例に記載の媒体搬送装置において、前記撹拌部は、前記透明部をワイプするワイパー部をさらに有することが好ましい。
【００２３】
本適用例によれば、撹拌部は、透明部をワイプするワイパー部を備えている。透明部に汚れなどが付着した場合でも、ワイパー部が透明部をワイプすることで回収部の内部を視認可能にすることができる。
【００２４】
［適用例１０］本適用例に係る記録装置は、適用例１から適用例９のいずれかに記載の媒体搬送装置を備えることを特徴とする。
【００２５】
本適用例によれば、記録装置は、製品寿命の長い媒体搬送装置を備えているので、製品寿命の長い記録装置を提供することができる。
【図面の簡単な説明】
【００２６】
【図１】実施形態に係る記録装置の概略構成を示す側断面図。
【図２】支持部及びエッジガイドの概略構成を示す斜視図。
【図３】第１異物回収部の概略構成を示す側断面図。
【図４】第１異物回収部が連結されたエッジガイドの構成を示す斜視図。
【図５】第１異物回収部が連結されたエッジガイドの構成を示す斜視図。
【図６】第２異物回収部及び押圧部の構成を示す斜視図。
【図７】図６におけるＤ−Ｄ線での断面図。
【図８】変形例１に係る第２異物回収部の概略構成を示す平面図。
【図９】第２異物回収部の概略構成を示す平面図。
【図１０】変形例２に係る第２異物回収部の概略構成を示す平面図。
【図１１】第２異物回収部の概略構成を示す平面図。
【図１２】変形例３に係る第２異物回収部の概略構成を示す平面図。
【図１３】第２異物回収部の概略構成を示す平面図。
【発明を実施するための形態】
【００２７】
以下、本発明の実施形態について、図面を参照して説明する。なお、以下の各図においては、各部材等を認識可能な程度の大きさにするため、各部材等の尺度を実際とは異ならせて示している。
【００２８】
（実施形態）
図１は、実施形態に係る記録装置の概略構成を示す側断面図である。図２は、支持部及びエッジガイドの概略構成を示す斜視図である。図３は、第１異物回収部の概略構成を示す側断面図である。まず、記録装置１の全体構成について、図１から図３を参照して説明する。
【００２９】
本実施形態の記録装置１は、記録装置１の内部に組み込まれ媒体Ｐを搬送方向Ａに搬送させることが可能な媒体搬送装置２、媒体搬送装置２によって搬送される媒体Ｐに画像や文字などを記録する記録部としての記録ヘッド３などを備えている。
【００３０】
媒体搬送装置２は、ロール状の媒体Ｐがセットされ図１において回転方向Ｃに回転可能な回転軸４と、回転軸４から巻き解かれた媒体Ｐを支持する支持部２２と、媒体Ｐを搬送方向Ａに搬送する搬送部としての搬送ローラー５，６と、支持部２２に設けられたエッジガイド１０とを有している。
【００３１】
記録ヘッド３は、キャリッジ８に搭載され、媒体Ｐの搬送方向Ａと交差する走査方向Ｂ（以下、幅方向Ｂともいう）に往復移動しながら搬送される媒体Ｐに図示しないノズルからインクを吐出して画像などを記録することが可能に構成されている。このような構成の媒体搬送装置２と記録ヘッド３とを備えることで、本実施形態の記録装置１は、媒体搬送装置２によって媒体Ｐを搬送方向Ａに搬送させることと、媒体Ｐの搬送を停止した状態で記録ヘッド３を走査方向Ｂに移動させながらインクを吐出させることと、を繰り返すことで、媒体Ｐに所望の画像を形成可能である。なお、本実施形態の記録装置１は、媒体Ｐの搬送と記録ヘッド３の走査とを交互に繰り返して記録を行う所謂シリアルプリンターであるが、媒体Ｐの幅方向に沿ってライン状にノズルが形成されたラインヘッドを使用して連続的に媒体Ｐを搬送しながら連続的に記録を行う所謂ラインプリンターであってもよい。さらには、例えば、転写式プリンターなど、インクを吐出する以外の方法で記録を行うインクジェットプリンター以外の記録装置であってもよい。
【００３２】
なお、本実施形態の記録装置１は、様々な幅のロール状の媒体Ｐを使用可能である。媒体Ｐの幅に合わせて、ユーザーが支持部２２に設けられたエッジガイド１０を走査方向Ｂに沿う方向に移動させることで、搬送方向Ａと交差する媒体Ｐの幅方向における端部Ｐｅの位置をガイドすることが可能となっている。
【００３３】
次に、媒体搬送装置２（記録装置１）に備えられているエッジガイド１０について説明する。
図２及び図３に示すように、本実施形態の媒体搬送装置２は、搬送方向Ａと交差する媒体Ｐの幅方向Ｂにおける端部Ｐｅと接触する２つエッジガイド１０を有している。エッジガイド１０は、使用する媒体Ｐの幅に応じて、走査方向Ｂに移動可能になっている。２つのエッジガイド１０は、搬送方向Ａを基準にして左右対称の形状をなし、支持部２２に掛止させるための掛止部１５を備えている。ユーザーが支持部２２に対して掛止させる位置を変更することにより、エッジガイド１０を移動させることができる。
【００３４】
図３に示すように、エッジガイド１０には、媒体Ｐの端部Ｐｅ近くの表裏に付着した紙粉などの異物を回収する第１異物回収部１３が着脱可能に連結されている。なお、図２及び図３は、何れも、エッジガイド１０に第１異物回収部１３を連結させた状態を表している。
【００３５】
次に、第１異物回収部１３の構成について図３を参照して説明する。
第１異物回収部１３は、穴部２０を介して媒体Ｐの端部Ｐｅの表裏から回収した異物を収容室２１に収容する収容部１２と、収容部１２の上部に被せられるカバー部１１と、で構成されている。また、収容部１２及びカバー部１１の両方における媒体Ｐの端部Ｐｅの表裏と接触する部分には、異物を回収するためのフェルトＦ１，Ｆ２が取り付けられている。そして、収容部１２に取り付けられたフェルトＦ１とカバー部１１に取り付けられたフェルトＦ２とで媒体Ｐの端部Ｐｅの表裏を挟み、その状態で媒体Ｐを搬送させることにより、媒体Ｐの端部Ｐｅの表裏に付着した異物を回収する。なお、収容部１２のフェルトＦ１とカバー部１１のフェルトＦ２とで挟まれることにより回収された異物は、新たな異物が次々と回収されることに伴い、新たに回収された異物に押されて先に回収されていた異物が次々と穴部２０に落ちていくことで収容室２１に収容される。
【００３６】
第１異物回収部１３は、媒体Ｐの端部Ｐｅの位置をガイドするエッジガイド１０に連結されているので、媒体Ｐの端部Ｐｅに第１異物回収部１３を正確に位置合わせできる。また、エッジガイド１０は、ユーザーがその位置を変更しやすい場所に設けられているので、エッジガイド１０から第１異物回収部１３を容易に着脱することができる。これにより、収容室２１に収容された異物の排出や各部の清掃、交換などのメンテナンスを容易に行うことができる。
【００３７】
図４及び図５は、第１異物回収部が連結されたエッジガイドの構成を示す斜視図である。図６は、第２異物回収部及び押圧部の構成を示す斜視図である。図７は、図６におけるＤ−Ｄ線での断面図である。
本発明であるエッジガイド１０の構成について図４から図７を参照して説明する。なお、図６においては、押圧部カバー３５を取り外した状態を示している。また、以下のエッジガイド１０の説明においては、媒体Ｐが接する側をエッジガイド１０の上面、反対側を底面という。
【００３８】
エッジガイド１０は、媒体Ｐの端部Ｐｅの側面に付着した紙粉や毛羽などの異物を回収する異物回収部としての第２異物回収部４０と、媒体Ｐを押圧する押圧部３０とを有している。押圧部３０の上部には、押圧部３０を覆う押圧部カバー３５が備えられている。押圧部カバー３５は、第１異物回収部１３をエッジガイド１０に連結させるフックの機能も備えている。
【００３９】
押圧部３０は、搬送方向Ａに延在し媒体Ｐの端部Ｐｅの側面に当接する板状の擦り板部３２と、媒体Ｐの端部Ｐｅの側面に対して擦り板部３２を押圧する弾性部材３１とを有している。弾性部材３１としては、コイルばねなどを使用することができる。擦り板部３２には、略正方形の複数の貫通口３３が設けられている。搬送方向Ａに搬送される媒体Ｐの端部Ｐｅの側面に対して擦り板部３２を押圧することで、媒体Ｐを定型のサイズに裁断する際に生じ媒体Ｐの端部Ｐｅの側面に付着した紙粉や毛羽などの異物を分離させることができる。分離した異物は、貫通口３３から擦り板部３２を介して媒体Ｐと反対側の空間に移動する。
【００４０】
第２異物回収部４０は、媒体Ｐの端部Ｐｅの側面から分離された異物を回収する回収部４２、異物を回収部４２へ案内するための入口部４１、及び回収部４２内の異物を外部へ案内するための出口部４３を備えている。回収部４２は、枠状の筐体４９と、筐体４９の上面を覆う蓋体４４と、筐体４９の底面を塞ぐ底体４５とで形成される空間である。
【００４１】
回収部４２は、入口部４１と出口部４３との間に設けられている。詳しくは、入口部４１及び出口部４３は、回収部４２から筐体４９の上面側へ貫通する開口である。入口部４１は、搬送方向Ａに長い長方形をなし、擦り板部３２の貫通口３３と連通する位置に設けられている。押圧部３０で媒体Ｐから分離された異物は、貫通口３３を介して入口部４１から回収部４２に落下して蓄積される。回収部４２には、媒体Ｐの搬送方向Ａと交差する幅方向Ｂにおいて、入口部４１と反対側の位置に円形をなす出口部４３が設けられている。これにより、回収部４２に蓄積された異物を出口部４３から容易に排出させることが可能となり、ユーザーは、回収部４２から異物を排出するメンテナンスを容易に行うことができる。
【００４２】
また、媒体Ｐを搬送方向Ａに搬送させる搬送ローラー５，６は、第２異物回収部４０を備えたエッジガイド１０及びエッジガイド１０に連結された第１異物回収部１３よりも搬送方向Ａの下流側に設けられている。媒体Ｐの端部Ｐｅにおける異物は、第１、第２異物回収部１３，４０によって回収されるので、異物によって媒体Ｐの搬送精度が低下することを抑制することができる。
【００４３】
また、第２異物回収部４０は、回収部４２の内側を視認可能な透明部を有している。本実施形態では、蓋体４４及び底体４５が透明部材で形成された透明部に相当する。これにより、ユーザーは、回収部４２に蓄積された異物の量や位置を視認することができる。さらに、エッジガイド１０を構成する筐体４９の少なくとも一部は、異物の色と反対関係にある反対色の部材で形成されている。例えば、媒体Ｐとして白色の用紙を使用する場合、白色と反対色である黒色の部材で形成された枠状の筐体４９を有するエッジガイド１０を用いることで、回収部４２に蓄積された異物をユーザーに視認させやすくなる。
【００４４】
以上述べたように、本実施形態に係る媒体搬送装置２及び記録装置１によれば、以下の効果を得ることができる。
本実施形態の媒体搬送装置２は、第２異物回収部４０を有するエッジガイド１０を備えている。第２異物回収部４０は、媒体Ｐの端部Ｐｅの側面から分離された異物を回収する回収部４２、異物を回収部４２へ案内するための入口部４１、及び回収部４２内の異物を外部へ案内するための出口部４３を備えている。また、回収部４２は、入口部４１と出口部４３との間に設けられている。回収部４２には、媒体Ｐの搬送方向Ａと交差する幅方向Ｂにおいて、入口部４１と反対側の位置に出口部４３が設けられているので、回収部４２に蓄積された異物を出口部４３から容易に排出させることが可能になる。これにより、ユーザーは、回収部４２から異物を排出するメンテナンスを容易に行うことができるので、媒体搬送装置２の媒体Ｐに付着した異物を回収する能力を維持させることができる。したがって、製品寿命の長い媒体搬送装置２を提供することができる。
【００４５】
エッジガイド１０は、媒体Ｐを押圧する押圧部３０を備えている。押圧部３０は、搬送方向Ａに搬送される媒体Ｐの端部Ｐｅの側面に対して擦り板部３２を押圧する。これにより、媒体Ｐを定型のサイズに裁断する際に生じた紙粉や毛羽などの異物を分離することができる。
【００４６】
第２異物回収部４０は、回収部４２の内側を視認可能な透明部としての蓋体４４及び底体４５を有している。これにより、ユーザーは、回収部４２に蓄積された異物の量や位置を視認することができる。
【００４７】
本実施形態の記録装置１は、製品寿命の長い媒体搬送装置２を備えているので、製品寿命の長い記録装置１を提供することができる。
【００４８】
なお、本発明は上述した実施形態に限定されず、上述した実施形態に種々の変更や改良などを加えることが可能である。変形例を以下に述べる。
【００４９】
（変形例１）
図８及び図９は、変形例１に係る第２異物回収部の概略構成を示す平面図である。次に、第２異物回収部１４０について図８及び図９を参照して説明する。本変形例の第２異物回収部１４０は、実施形態で説明した第２異物回収部４０に撹拌部１５０が備えられている。なお、図８及び図９は、第２異物回収部１４０を底面側から見た場合の平面図を示している。実施形態と同一の構成部位については、同一の番号を附し、重複する説明は省略する。
【００５０】
第２異物回収部１４０は、回収部４２の内部を撹拌する撹拌部１５０を備えている。撹拌部１５０は、所定の点で固定された状態で回動する。詳しくは、撹拌部１５０は、回収部４２の外部から内部に貫通する棒状の撹拌棒１５１を有し、撹拌棒１５１は、枠状の筐体４９の所定の点に設けられたジョイント１５２によって回動可能に支持されている。ユーザーが、回収部４２の外部に延びる撹拌棒１５１の一端１５１ａを搬送方向Ａと交差する媒体Ｐの幅方向Ｂに沿って回動させることにより、回収部４２の内部に延びる撹拌棒１５１によって回収部４２に蓄積された紙粉などの異物Ｔが撹拌される。
【００５１】
本変形例では、ジョイント１５２は、筐体４９の幅方向Ｂに沿って延在する搬送方向Ａの下流側の辺（壁）において、入口部４１に近い位置に設けられている。これにより、撹拌棒１５１を回動することによって、回収部４２の入口部４１近辺に蓄積された異物Ｔを出口部４３へ向かって容易に移動させることができる。また、回収部４２に蓄積された異物Ｔを出口部４３から効率良く排出させることができる。これにより、媒体搬送装置２の媒体Ｐに付着した異物Ｔを回収する能力を維持することができる。
【００５２】
また、撹拌部１５０は、透明部としての蓋体４４及び底体４５をワイプするワイパー部１５４を備えている。回収部４２の内部に延びる撹拌棒１５１には、透明部材で形成された蓋体４４及び底体４５の少なくとも一方に当接するワイパー部１５４が設けられている。ワイパー部１５４は、可撓性を有するエラストマーなどで形成されている。ユーザーが撹拌棒１５１を回動させることにより、ワイパー部１５４は、蓋体４４及び底体４５の少なくとも一方と摺動する。これにより、蓋体４４や底体４５の内面に付着した汚れがワイパー部１５４でワイプされるので、回収部４２の内部を視認することができる。
【００５３】
（変形例２）
図１０及び図１１は、変形例２に係る第２異物回収部の概略構成を示す平面図である。次に、第２異物回収部２４０について図１０及び図１１を参照して説明する。本変形例の第２異物回収部２４０は、実施形態で説明した第２異物回収部４０に撹拌部２５０が備えられている。なお、図１０及び図１１は、第２異物回収部２４０を底面側から見た場合の平面図を示している。実施形態及び変形例１と同一の構成部位については、同一の番号を附し、重複する説明は省略する。
【００５４】
第２異物回収部２４０は、回収部４２の内部を撹拌する撹拌部２５０を備えている。撹拌部２５０は、所定の範囲をスライドする。詳しくは、撹拌部２５０は、回収部４２の外部から内部に貫通し搬送方向Ａに延びる棒状の撹拌棒１５１を有している。また、筐体４９には、幅方向Ｂに長い長方形のガイド穴であるスライダー部２５３が形成されている。撹拌棒１５１は、ジョイント２５２に支持され、ジョイント２５２は、スライダー部２５３に摺動可能に接続されている。ユーザーが、回収部４２の外部に延びる撹拌棒１５１の一端１５１ａを持って、撹拌棒１５１を幅方向Ｂにスライドさせることにより、回収部４２の内部に延びる撹拌棒１５１によって回収部４２に蓄積された紙粉などの異物Ｔが撹拌される。
【００５５】
本変形例では、スライダー部２５３は、筐体４９の幅方向Ｂに沿って延在する搬送方向Ａの下流側の辺（壁）において、入口部４１から出口部４３の範囲に設けられている。これにより、撹拌棒１５１を幅方向Ｂに移動させることによって、回収部４２の入口部４１近辺に蓄積された異物Ｔを出口部４３へ容易に移動させることができる。また、回収部４２に蓄積された異物Ｔを出口部４３から効率良く排出させることができる。
【００５６】
（変形例３）
図１２及び図１３は、変形例３に係る第２異物回収部の概略構成を示す平面図である。次に、第２異物回収部３４０について図１２及び図１３を参照して説明する。本変形例の第２異物回収部３４０は、実施形態で説明した第２異物回収部４０に撹拌部３５０が備えられている。なお、図１２及び図１３は、第２異物回収部３４０を底面側から見た場合の平面図を示している。実施形態及び変形例１と同一の構成部位については、同一の番号を附し、重複する説明は省略する。
【００５７】
第２異物回収部３４０は、回収部４２の内部を撹拌する撹拌部３５０を備えている。撹拌部３５０は、筐体４９の幅方向Ｂに沿って延在する搬送方向Ａの下流側の辺（壁）における入口部４１側から回収部４２の内部に向かって延出する棒状の撹拌棒３５１を有し、撹拌棒３５１の一端と筐体４９とは、ジョイント１５２によって回動可能に接続されている。
【００５８】
また、第２異物回収部３４０は、支持部２２に対するエッジガイド１０の位置を変更するための持ち手部３６０ａ，３６０ｂを備えている。持ち手部３６０ａは、筐体４９の搬送方向Ａに沿って延在する入口部４１側の辺（壁）において、搬送方向Ａの上流側に設けられている。持ち手部３６０ｂは、筐体４９の搬送方向Ａに沿って延在する出口部４３側の辺（壁）において、搬送方向Ａの上流側に設けられている。持ち手部３６０ａ，３６０ｂは、レバー部３６２ａ，３６２ｂと、レバー部３６２ａ，３６２ｂを支持する支持部３６１ａ，３６１ｂとで構成されている。支持部３６１ａ，３６１ｂは、筐体４９の外壁に接続され、レバー部３６２ａ，３６２ｂは、支持部３６１ａ，３６１ｂから幅方向Ｂに突出するように付勢されている。
【００５９】
さらに、撹拌部３５０は、筐体４９の外壁を貫通し、撹拌棒３５１の他端とレバー部３６２ａの一端とを接続するリンク３５４を有している。撹拌棒３５１の他端とリンク３５４の一端とは、ジョイント３５３によって回動可能に接続され、リンク３５４の他端とレバー部３６２ａの入口部４１側の一端とは、ジョイント３５５によって回動可能に接続されている。
【００６０】
ユーザーがレバー部３６２ａ，３６２ｂを幅方向Ｂから筐体４９の内側に向かって押圧することにより、レバー部３６２ａ，３６２ｂが支持部３６１ａ，３６１ｂ内に移動する。この時、撹拌棒３５１は、ジョイント１５２を中心に、撹拌棒３５１の他端がレバー部３６２ａに接続されたリンク３５４によって入口部４１側から出口部４３側に向かって押し出されるように回動し、入口部４１近辺に蓄積した異物Ｔが出口部に向かって移動する。また、エッジガイド１０を支持部２２に掛止させる掛止部１５は、レバー部３６２ａ，３６２ｂの操作に連動して、その固定と解除とが切り替えられるようになっている。これにより、異なる幅の媒体Ｐを使用する際、ユーザーが行うエッジガイド１０の移動操作によって、回収部４２に蓄積された異物Ｔを出口部４３に向かって移動させることができる。
【００６１】
なお、本変形例で示した持ち手部３６０ａ，３６０ｂの設置位置は、一例である。リンク機構によって撹拌棒３５１を回動可能であれば、その設置位置は限定されない。
【符号の説明】
【００６２】
１…記録装置、２…媒体搬送装置、３…記録ヘッド、４…回転軸、５，６…搬送部としての搬送ローラー、８…キャリッジ、１０…エッジガイド、１３…第１異物回収部、２２…支持部、３０…押圧部、３１…弾性部材、３２…擦り板部、３３…貫通口、４０，１４０，２４０，３４０…異物回収部としての第２異物回収部、４１…入口部、４２…回収部、４３…出口部、４４…蓋体（透明部）、４５…底体（透明部）、４９…筐体、１５０，２５０，３５０…撹拌部、１５１，３５１…撹拌棒、１５４…ワイパー部、３６０ａ，３６０ｂ…持ち手部、Ｐ…媒体。
【図１】
2018202775.tif 000003
【図２】
2018202775.tif 000004
【図３】
2018202775.tif 000005
【図４】
2018202775.tif 000006
【図５】
2018202775.tif 000007
【図６】
2018202775.tif 000008
【図７】
2018202775.tif 000009
【図８】
2018202775.tif 000010
【図９】
2018202775.tif 000011
【図１０】
2018202775.tif 000012
【図１１】
2018202775.tif 000013
【図１２】
2018202775.tif 000014
【図１３】
2018202775.tif 000015